(57)【要約】【課題】  画像記録用紙をプリンタに挿入するだけで、所望の記録対象情報を印刷させる。【解決手段】  磁気ストライプを有する記録用紙に記録を行うプリンタにおいて、磁気ストライプは、記録対象情報を記憶しており、記録対象として挿入された記録用紙の記憶媒体から前記記録対象情報を読み出し（ステップＳ１２）、記録対象情報に基づいて印刷データを生成し（ステップＳ１３）、記録用紙に記録を行わせる（ステップＳ１４）。【選択図】      図５
2006076237.tif 000002
【特許請求の範囲】
【請求項１】
記憶媒体を有する記録用紙に記録を行う記録装置において、
前記記憶媒体は、記録対象情報を記憶しており、
記録対象として挿入された前記記録用紙の前記記憶媒体から前記記録対象情報を読み出す読出部と、
前記記録用紙に記録を行う記録部と、
前記記録対象情報に基づいて印刷データを生成し、前記記録部を制御して前記記録用紙に記録を行わせる制御部と、
を備えたことを特徴とする記録装置。
【請求項２】
請求項１記載の記録装置において、
前記記憶媒体は、前記記録対象情報を複数記憶するとともに、前記記録対象情報が既に記録済みか否かの情報を記録する情報記録部を有し、
前記読出部は、前記複数の記録対象情報の少なくとも一部を読み出し、
前記制御部は、前記読み出された記録対象情報に基づいて印刷データを生成し、前記記録部を制御して前記記録用紙に記録を行わせるとともに、前記情報記録部を制御して前記読み出された記録対象情報が既に記録済みである旨の情報を前記記憶媒体に記憶させる、
ことを特徴とする記録装置。
【請求項３】
請求項１記載の記録装置において、
前記記録対象情報は、実際の記録対象情報の所在を表す記録対象特定情報を含み、
前記記憶媒体は、前記記録対象情報を複数記憶し、
前記読出部は、前記複数の記録対象情報を読み出し、
前記制御部は、前記読み出された記録対象情報に基づいて印刷データを生成するとともに、前記記録対象特定情報に基づいて印刷データを取得し、生成あるいは取得した印刷データに基づいて前記記録部を制御して前記記録用紙に記録を行わせる、
ことを特徴とする記録装置。
【請求項４】
請求項１ないし請求項３のいずれかに記載の記録装置において、
前記記憶媒体は、記録手法を含む記録制御情報を記憶しており、
前記読出部は、前記記憶媒体から前記記録制御情報を読み出し、
前記制御部は、前記記録制御情報に含まれる前記記録手法に対応する印刷フォーマットを特定し、当該印刷フォーマットに基づいて前記記録部を制御して前記記録用紙に記録を行わせる、
ことを特徴とする記録装置。
【請求項５】
記憶媒体を有する記録用紙に記録を行う記録装置の制御方法において、
前記記憶媒体は、記録対象情報を記憶しており、
記録対象として挿入された前記記録用紙の前記記憶媒体から前記記録対象情報を読み出す読出過程と、
前記記録対象情報に基づいて印刷データを生成し、前記記録用紙に記録を行わせる記録制御過程と、
を備えたことを特徴とする記録装置の制御方法。
【請求項６】
請求項５記載の記録装置の制御方法において、
前記記憶媒体は、前記記録対象情報を複数記憶するとともに、前記記録対象情報が既に記録済みか否かの情報を記録する情報記録部を有し、
前記読出過程は、前記複数の記録対象情報の少なくとも一部を読み出し、
前記記録制御過程は、前記読み出された記録対象情報に基づいて印刷データを生成し、前記記録用紙に記録を行わせるとともに、前記読み出された記録対象情報が既に記録済みである旨の情報を前記記憶媒体に記憶させる、
ことを特徴とする記録装置の制御方法。
【請求項７】
請求項５記載の記録装置の制御方法において、
前記記録対象情報は、実際の記録対象情報の所在を表す記録対象特定情報を含み、
前記記憶媒体は、前記記録対象情報を複数記憶し、
前記読出過程は、前記複数の記録対象情報を読み出し、
前記記録制御過程は、前記読み出された記録対象情報に基づいて印刷データを生成するとともに、前記記録対象特定情報に基づいて印刷データを取得し、生成あるいは取得した印刷データに基づいて前記記録用紙に記録を行わせる、
ことを特徴とする記録装置の制御方法。
【発明の詳細な説明】
【技術分野】
【０００１】
本発明は、記録装置および記録装置の制御方法に係り、特に記録用紙上に設けられた記憶媒体から記憶情報を読み出す読出装置を備えた記録装置および記録装置の制御方法に関する。
【背景技術】
【０００２】
従来より、いわゆるパスブック型のドットインパクトプリンタが知られている（例えば、特許文献１参照）。
このパスブック型のドットインパクトプリンタは、磁気ヘッドにより画像記録媒体（例えば通帳等の画像記録用紙）に設けられた磁気記録媒体（例えば磁気ストライプ）に磁気情報を記録し、あるいは磁気情報を再生する磁気記録再生装置を有している。
そして、記録ヘッドは、記録ワイヤを突出動作させることにより、インクリボンを画像記録用紙（画像記録媒体）に打ち付けてインクを転写し、文字等を含む画像を記録することとなる。
【０００３】
より詳細には、この記録ヘッドは、フロントローラとリアローラとの間に位置するプラテンに対向した位置に設けられている。
このとき、記録ヘッドのリアローラ側には横並びに用紙検出センサを備え、リアローラ側には、先端部が記録ヘッド側に延出して、記録ヘッドを通過した、画像記録用紙の先端を、リアローラに案内する案内部材を備えて構成される。
このようなパスブック型のドットインパクトプリンタは主に金融機関等で使用されており、通帳の他、一枚紙や複写紙等に対しても画像を記録することができる。
【特許文献１】特開平６−２９７７９８号公報
【発明の開示】
【発明が解決しようとする課題】
【０００４】
ところで、上記従来のドットインパクトプリンタにおいて、磁気記録媒体に記録されている磁気情報は、顧客情報などの記録に用いられているだけであり、画像記録用紙に対する記録対象の情報（画像記録用紙に何を記録するかの情報）は、ドットインパクトプリンタを制御する外部の制御装置（例えば、パーソナルコンピュータあるいはサーバなど）により指示されることとなっていた。
したがって、ドットインパクトプリンタに対して磁気記録媒体を利用して当該画像記録用紙に記録すべき情報、印刷フォーマットなどを指示することはできなかった。
そこで、本発明の目的は、画像記録用紙をプリンタに挿入するだけで、所望の記録対象情報を印刷させることができる記録装置および記録装置の制御方法を提供することにある。
【課題を解決するための手段】
【０００５】
上記課題を解決するため、記憶媒体を有する記録用紙に記録を行う記録装置において、前記記憶媒体は、記録対象情報を記憶しており、記録対象として挿入された前記記録用紙の前記記憶媒体から前記記録対象情報を読み出す読出部と、前記記録用紙に記録を行う記録部と、前記記録対象情報に基づいて印刷データを生成し、前記記録部を制御して前記記録用紙に記録を行わせる制御部と、を備えたことを特徴としている。
上記構成によれば、読出部は、記録対象として挿入された記録用紙の記憶媒体から記録対象情報を読み出す。
これにより制御部は、記録対象情報に基づいて印刷データを生成し、記録部を制御して記録用紙に記録を行わせる。
【０００６】
この場合において、前記記憶媒体は、前記記録対象情報を複数記憶するとともに、前記記録対象情報が既に記録済みか否かの情報を記録する情報記録部を有し、前記読出部は、前記複数の記録対象情報の少なくとも一部を読み出し、前記制御部は、前記読み出された記録対象情報に基づいて印刷データを生成し、前記記録部を制御して前記記録用紙に記録を行わせるとともに、前記情報記録部を制御して前記読み出された記録対象情報が既に記録済みである旨の情報を前記記憶媒体に記憶させるようにしてもよい。
【０００７】
さらに、前記記録対象情報は、実際の記録対象情報の所在を表す記録対象特定情報を含み、前記記憶媒体は、前記記録対象情報を複数記憶し、前記読出部は、前記複数の記録対象情報を読み出し、前記制御部は、前記読み出された記録対象情報に基づいて印刷データを生成するとともに、前記記録対象特定情報に基づいて印刷データを取得し、生成あるいは取得した印刷データに基づいて前記記録部を制御して前記記録用紙に記録を行わせるようにしてもよい。
【０００８】
さらにまた、前記記憶媒体は、記録手法を含む記録制御情報を記憶しており、前記読出部は、前記記憶媒体から前記記録制御情報を読み出し、前記制御部は、前記記録制御情報に含まれる前記記録手法に対応する印刷フォーマットを特定し、当該印刷フォーマットに基づいて前記記録部を制御して前記記録用紙に記録を行わせるようにしてもよい。
【０００９】
また、記憶媒体を有する記録用紙に記録を行う記録装置の制御方法において、前記記憶媒体は、記録対象情報を記憶しており、記録対象として挿入された前記記録用紙の前記記憶媒体から前記記録対象情報を読み出す読出過程と、前記記録対象情報に基づいて印刷データを生成し、前記記録用紙に記録を行わせる記録制御過程と、を備えたことを特徴としている。
【００１０】
この場合において、前記記憶媒体は、前記記録対象情報を複数記憶するとともに、前記記録対象情報が既に記録済みか否かの情報を記録する情報記録部を有し、前記読出過程は、前記複数の記録対象情報の少なくとも一部を読み出し、前記記録制御過程は、前記読み出された記録対象情報に基づいて印刷データを生成し、前記記録用紙に記録を行わせるとともに、前記読み出された記録対象情報が既に記録済みである旨の情報を前記記憶媒体に記
憶させる、ことを特徴としている。
【００１１】
また、前記記録対象情報は、実際の記録対象情報の所在を表す記録対象特定情報を含み、前記記憶媒体は、前記記録対象情報を複数記憶し、前記読出過程は、前記複数の記録対象情報を読み出し、前記記録制御過程は、前記読み出された記録対象情報に基づいて印刷データを生成するとともに、前記記録対象特定情報に基づいて印刷データを取得し、生成あるいは取得した印刷データに基づいて前記記録用紙に記録を行わせるようにしてもよい。
【発明の効果】
【００１２】
本発明によれば、画像記録用紙をプリンタに挿入するだけで、当該画像記録用紙に記録対象情報を記録（印刷）させることができる。
【発明を実施するための最良の形態】
【００１３】
次に図面を参照して、本発明の好適な実施形態を説明する。
［１］第１実施形態
図１は、磁気記録再生装置を備えたドットインパクトプリンタを示す全体斜視図である。図２は、図２のプリンタを示す側断面図である。
図１に示すプリンタ１０は、記録ヘッド１２（図２参照）の多数の記録ワイヤを、インクリボン（図示せず）を介して画像記録用紙に打ち付けてドットを記録することにより、文字を含む画像を記録するパスブック型のドットインパクトプリンタである。
【００１４】
さらにプリンタ１０は、磁気記録再生装置１１を一体に装備している。画像記録用紙は、通常、金融機関等で使用されている通帳や複写紙、一枚紙等であり、これらの画像記録用紙に貼着あるいは印刷された記録媒体としての磁気ストライプに、磁気記録再生装置１１が磁気情報を記録し、または、この記録された磁気情報を読み取って再生することとなる。
プリンタ１０は、図１及び図２に示すように、左サイドフレーム１３、右サイドフレーム１４及びベースフレームを備えた本体フレームに、キャリッジ１５、記録ヘッド１２、搬送装置（フロントローラ、リアローラ）、磁気記録再生装置１１及び制御装置としての制御基板部を有して構成される。
【００１５】
搬送装置は、図２に示すように、フロントローラＦＲ、リアローラＲＲを備えている。フロントローラＦＲは、上下一対の駆動ローラ１７Ａ及び従動ローラ１８Ａで構成されている。また、リアローラＲＲは、同じく上下一対の駆動ローラ１７Ｂ及び従動ローラ１８Ｂで構成されている。
フロントローラＦＲおよびリアローラＲＲは、記録ヘッド１２の上流側と下流側に一組づつ配置され、これら二組の駆動ローラ１７及び従動ローラ１８が、搬送案内１９に載置された記録用紙等を挟持して、この記録用紙等を副走査方向（矢印Ａ方向）に搬送する。なお、従動ローラ１８は、駆動ローラ１７と同様に駆動ローラであってもよい。
【００１６】
リアローラＲＲの従動ローラ１８Ｂ側には、先端部２９Ａが記録ヘッド１２側に延出して、記録ヘッド１２を通過した、通帳及び複写紙を含む記録用紙の先端を、リアローラＲＲに案内する案内部材２９が設けられている。
キャリッジ１５は、記録ヘッド１２を搭載し、この記録ヘッド１２をプラテン４９に沿って矢印Ａと直交する方向である主走査方向に右向きまたは左向きに走行させる。この主走査方向は、搬送装置による画像記録用紙等の搬送方向（副走査方向）と直交する方向となっている。
【００１７】
プラテン４９は、図示しない付勢ばねを用いて、記録ヘッド１２に対し接離する方向に移動自在に弾性支持されている。これにより、記録ヘッド１２とプラテン４９との間に厚さの異なる画像記録用紙が搬送された場合でも、プラテン４９が通帳等の厚さ方向で、記録ヘッド１２から離れる向きに移動して、記録ヘッド１２と記録用紙等の表面（印字面）との間に一定のプラテンギャップが確保される。
記録ヘッド１２は多数の図示しない記録ワイヤを備え、これらの記録ワイヤの突出方向前方で、記録ヘッド１２とプラテン４９との間に図示しないインクリボンが位置する。この記録ヘッド１２は、キャリッジと共に主走査方向に走行する間に、記録ワイヤを突出させてインクリボンに打ち当て、このインクリボンのインクを記録ヘッド１２の下方に位置する記録用紙等に付着させて、この記録用紙等に文字を含む画像を記録することとなる。
【００１８】
図３は、プリンタの概要構成ブロック図である。
プリンタ１０は、プリンタ１０全体を制御するＣＰＵ５０と、制御プログラムおよび制御用データを予め記憶したＲＯＭ５１と、各種データを一時的に格納するＲＡＭ５２と、画像記録用紙の磁気ストライプに記録された情報を読み出し、あるいは、記録するための磁気記録再生装置１１と、記録ヘッド１２と、記録ヘッド１２を制御する印字制御部５５と、対応する各部を駆動するための複数のモータを有するモータ部５６と、モータ部５６を構成する各モータを制御するためのモータ制御部５７と、イーサネット（登録商標）等の通信インターフェースを含む各種インターフェースを備えたインターフェース（Ｉ／Ｆ）部５８と、インターフェース部５８を制御するためのインターフェース（Ｉ／Ｆ）制御部５９と、を備えている。
【００１９】
ここで、本第１実施形態の画像記録用紙について説明する。
図４は、第１実施形態の画像記録用紙の一例の説明図である。
画像記録用紙７０は、印刷領域７１と、印刷領域７１外であって画像記録用紙７０の表面あるいは裏面に配置された磁気ストライプ７５と、を備えている。
【００２０】
次に第１実施形態の動作について説明する。
図５は、プリンタの処理フローチャートである。
本第１実施形態の画像記録用紙７０には、当該画像記録用紙７０に記録すべき対象である記録対象情報が記憶媒体である磁気ストライプ７５に記録されている。
具体的には、デモンストレーション用の印刷データ（例えば、写真印刷用データ）が記録対象情報として記録されている。
【００２１】
このように、本第１実施形態の記録対象情報としては、テキスト、写真、絵などを含む画像に対応するデータが記録されることとなる。
プリンタ１０を用いて実際に印字を行うに先だって、まずユーザは、記録対象情報が記録されている磁気ストライプ７５を有する画像記録用紙７０をプリンタ１０に対し、矢印Ａ方向（図２）に挿入する（ステップＳ１１）。この画像記録用紙が所定位置まで挿入されると、画像記録用紙は、フロントローラＦＲによりさらに矢印Ａ方向に搬送される。
【００２２】
これに伴い、ＣＰＵ５０は、磁気ヘッド５３および記録媒体リード／ライト制御部５４を介して画像記録用紙の磁気ストライプから記録対象情報を読み出す（ステップＳ１２）。
続いてＣＰＵ５０は、画像記録用紙から読み出した記録対象情報を解析し、印刷データを生成する（ステップＳ１３）。
具体的にはＣＰＵ５０は、磁気ストライプから読み出した記録対象情報に対し所定の記録フォーマットで例えば、写真印刷用データなどの印刷データを生成することとなる。
続いて、ＣＰＵ５０は、印字制御部５５およびモータ制御部５７を制御し、モータ部５６により駆動ローラ１７を駆動して画像記録用紙を副操作方向に搬送する。これと並行してＣＰＵ５０は、記録ヘッド１２を主走査方向に走査して印刷データに対応する画像（記録対象情報に対応する画像；テキスト、写真、絵などを含む）を記録対象として印刷領域７１に印字して処理を終了する（ステップＳ１４）。
このように、本第１実施形態によれば、パーソナルコンピュータなどの外部制御装置を接続することなくプリンタ１０のデモンストレーションを行うことが可能となる。
以上の説明のように、本第１実施形態によれば、記録装置（プリンタ）単体で、画像記録用紙に記録対象情報に対応する画像の印刷を行わせることができる。
【００２３】
［２］第２実施形態
以上の第１実施形態においては、プリンタ単独で何も印刷されていない画像記録用紙に印字を行う場合であったが、本第２実施形態は、既に何らかの印刷がなされている画像記録用紙に追加して印字を行う場合の実施形態である。
まず、本第２実施形態の画像記録用紙について説明する。
図６は、第２実施形態の画像記録用紙の一例の説明図である。図６において、図４と同様の部分には同一の符号を付すものとする。
画像記録用紙７０は、印刷領域７１と、印刷領域７１外であって画像記録用紙７０の表面あるいは裏面に配置された磁気ストライプ７５と、を備えている。
【００２４】
印刷領域７１は、既に通常の印刷機により印刷が施された既印刷領域７２と、磁気ストライプ７５内の記録対象情報に基づいてプリンタ１０により印刷がなされることとなる印刷予定領域７３と、を備えている。
図４の場合には、既印刷領域７２には、通常の平版印刷などにより算数の問題が印刷されている。
次に第２実施形態の動作について説明する。本第２実施形態の動作は基本的には第１実施形態と同様であるので、図５のプリンタの処理フローチャートを参照して説明する。
【００２５】
本第２実施形態の画像記録用紙７０には、当該画像記録用紙７０に記録すべき対象である記録対象情報が記憶媒体である磁気ストライプ７５に記録されている。
具体的には、上述の例のように既印刷領域７１に算数の問題が印刷されている場合には、解答が記録対象情報として記録されている。
このように、本第２実施形態の記録対象情報としては、既印刷領域７１に印刷されている情報（テキスト、写真、絵などを含む）に関連する情報（テキスト、写真、絵などを含む）が記録されることとなる。
【００２６】
プリンタ１０を用いて実際に印字を行うに先だって、まずユーザである解答者は、既印刷領域７１に印刷されている問題に解答する。
そして解答が終了すると、ユーザである解答者は、記録対象情報が記録されている磁気ストライプ７５を有する画像記録用紙７０をプリンタ１０に対し、矢印Ａ方向（図２）に挿入する（ステップＳ１１）。この画像記録用紙が所定位置まで挿入されると、画像記録用紙は、フロントローラＦＲによりさらに矢印Ａ方向に搬送される。
これに伴い、ＣＰＵ５０は、磁気ヘッド５３および記録媒体リード／ライト制御部５４を介して画像記録用紙の磁気ストライプから記録対象情報を読み出す（ステップＳ１２）。
【００２７】
続いてＣＰＵ５０は、画像記録用紙から読み出した記録対象情報を解析し、印刷データを生成する（ステップＳ１３）。
具体的にはＣＰＵ５０は、磁気ストライプから読み出した記録対象情報に対し所定の記録フォーマットで印刷データを生成することとなる。
続いて、ＣＰＵ５０は、印字制御部５５およびモータ制御部５７を制御し、モータ部５６により駆動ローラ１７を駆動して画像記録用紙を副操作方向に搬送しつつ、記録ヘッド１２を主走査方向に走査して印刷データに対応する画像（記録対象情報に対応する画像；テキスト、写真、絵などを含む）を記録対象として印刷予定領域７３内に印字して処理を終了する（ステップＳ１４）。
【００２８】
図７は、記録対象情報に対応する印字を行った後の記録用紙の説明図である。
図７に示すように、解答後の画像記録用紙７０の印刷予定領域７３には、正解がプリンタ１０により記録されることとなる。
従って、ユーザである解答者は、印刷予定領域７３に記録された正解を参照して答え合わせを容易に行うことができる。
このように、本第２実施形態によれば、既印刷領域７１に印刷されている情報に関連し、印刷予定領域７３に記録すべき情報が記録対象情報として記憶媒体である磁気ストライプに記録されているので、記録装置（プリンタ）単体で、記録対象情報の印刷（記録）を問題解答後などの適当な時期に行うことができる。
【００２９】
［３］第３実施形態
以上の第１実施形態および第２実施形態においては、記録対象情報が一つの場合についてのものであったが、本第３実施形態は、記録対象情報が複数ある場合の実施形態である。
この場合において、第３実施形態の画像記録用紙としては、第１実施形態あるいは第２実施形態の画像記録用紙を含む様々な態様の画像記録用紙の適用が可能であるが、以下の説明では、第２実施形態における画像記録用紙を用いた場合を例として説明する。
【００３０】
まず、第３実施形態の動作説明に先立ち、記憶媒体である磁気ストライプにおける記録データフォーマットについて説明する。
図８は、第３実施形態の磁気ストライプにおける記録データフォーマットの説明図である。
磁気ストライプ７５の記録データ８０は、当該記録データ８０が複数の記録対象情報を含むことを示す種別データ８１と、記録対象情報の数ｎを表すデータ数データ８２と、複数の記録対象情報のうちいずれを用いて印刷をするかを指定するための記録対象特定データ８３と、それぞれが記録対象情報に対応する複数の記録対象情報データ８４-1〜８４-nを備えて構成されている。
【００３１】
次に第３実施形態の動作について説明する。
図９は第３実施形態のプリンタの処理フローチャートである。
以下の説明においては、説明の簡略化のため、記録対象情報データとしては、記録対象情報データ８４-1＝Ｄ１および記録対象情報データ８４-2＝Ｄ２の二つが記録されているものとする。また、これに対応して、記録対象特定データ８３には、記録対象情報データ８４-1（＝Ｄ１）を特定するための“１”が記録されているものとする。
本第３実施形態の画像記録用紙７０には、当該画像記録用紙７０に記録すべき対象である複数の記録対象情報に対応する記録対象情報データ８４-1、８４-2が記憶媒体である磁気ストライプ７５に記録されている。
【００３２】
具体的には、例えば、既印刷領域７１に算数の問題が印刷されている場合には、第１の記録対象情報に対応する記録対象情報データ８４-1として解法のヒントが記録され、第２の記録対象情報に対応する記録対象情報データ８４-2として解答が記録される。
このように、本第３実施形態の記録対象情報も、第２実施形態と同様に、既印刷領域７１に印刷されている情報（テキスト、写真、絵などを含む）に関連する情報（テキスト、写真、絵などを含む）が記録されることとなる。
プリンタ１０を用いて実際に印字を行うに先だって、まずユーザである解答者は、既印刷領域７１に印刷されている問題に解答する。
【００３３】
そして解答が終了し、どうしても解けない問題があったとすると、ユーザである解答者は、記録対象情報が記録されている磁気ストライプ７５を有する画像記録用紙７０をプリンタ１０に対し、矢印Ａ方向（図２）に挿入する（ステップＳ２１）。この画像記録用紙７０が所定位置まで挿入されると、画像記録用紙７０は、フロントローラＦＲによりさらに矢印Ａ方向に搬送される。
【００３４】
これに伴い、ＣＰＵ５０は、磁気ヘッド５３および記録媒体リード／ライト制御部５４を介して画像記録用紙７０の磁気ストライプ７５から記録対象特定情報、すなわち、記録対象特定データ８３を読み出す（ステップＳ２２）。
続いてＣＰＵ５０は、画像記録用紙７０から読み出した記録対象特定データ８３に対応する記録対象情報を判別し、磁気ヘッド５３および記録媒体リード／ライト制御部５４を介して画像記録用紙７０の磁気ストライプ７５から記録対象情報、すなわち、この場合には記録対象特定データ８３には、記録対象情報データ８３-1を特定するための“１”が記録されているので、記録対象情報データ８４-1を読み出す（ステップＳ２３）。
【００３５】
続いてＣＰＵ５０は、磁気ヘッド５３および記録媒体リード／ライト制御部５４を介して画像記録用紙７０の磁気ストライプ７５の記録対象特定データ８３を更新する（ステップＳ２４）。
具体的には、記録対象情報データ８３-1を特定するための“１”が記録されている記録対象特定データ８３の値を、記録対象情報データ８３-2を特定するための“２”に更新する。
続いてＣＰＵ５０は、画像記録用紙７０の磁気ストライプ７５から読み出した記録対象情報データ８４-1に対応する記録対象情報を解析し、印刷データを生成する（ステップＳ２５）。
【００３６】
続いて、ＣＰＵ５０は、印字制御部５５およびモータ制御部５７を制御し、モータ部５６により駆動ローラ１７を駆動して画像記録用紙を副操作方向に搬送しつつ、記録ヘッド１２を主走査方向に走査して印刷データに対応する画像、この場合には、解法のヒントを記録対象として印刷予定領域７３内に印字して処理を終了する（ステップＳ２６）。
そしてユーザである解答者は、解法のヒントを参照して解答が終了すると、再び記録対象情報が記録されている磁気ストライプ７５を有する画像記録用紙７０をプリンタ１０に対し、矢印Ａ方向（図２）に挿入する（ステップＳ２１）。この画像記録用紙が所定位置まで挿入されると、画像記録用紙は、フロントローラＦＲによりさらに矢印Ａ方向に搬送される。
【００３７】
これに伴い、ＣＰＵ５０は、磁気ヘッド５３および記録媒体リード／ライト制御部５４を介して画像記録用紙７０の磁気ストライプ７５から記録対象特定情報、すなわち、記録対象特定データ８３を読み出す（ステップＳ２２）。
続いてＣＰＵ５０は、画像記録用紙７０から読み出した記録対象特定データ８３に対応する記録対象情報を判別し、磁気ヘッド５３および記録媒体リード／ライト制御部５４を介して画像記録用紙７０の磁気ストライプ７５から記録対象情報、すなわち、この場合には記録対象特定データ８３には、記録対象情報データ８４-2を特定するための“２”が記録されているので、記録対象情報データ８４-2 を読み出す（ステップＳ２３）。
【００３８】
続いてＣＰＵ５０は、磁気ヘッド５３および記録媒体リード／ライト制御部５４を介して画像記録用紙７０の磁気ストライプ７５の記録対象特定データ８３を更新する（ステップＳ２４）。
具体的には、記録対象情報データ８４-2を特定するための“２”が記録されている記録対象特定データ８３の値を、記録の対象となる記録対象情報データがないことを表す“０”に更新する。
続いてＣＰＵ５０は、画像記録用紙７０の磁気ストライプ７５から読み出した記録対象情報データ８４-2 に対応する記録対象情報を解析し、印刷データを生成する（ステップＳ２５）。
【００３９】
続いて、ＣＰＵ５０は、印字制御部５５およびモータ制御部５７を制御し、モータ部５６により駆動ローラ１７を駆動して画像記録用紙を副操作方向に搬送しつつ、記録ヘッド１２を主走査方向に走査して印刷データに対応する画像、この場合には、解法のヒント記録対象として印刷予定領域７３内に印字して処理を終了する（ステップＳ２６）。
以上の説明のように、本第３実施形態によれば、記録対象情報が複数ある場合であっても、記録装置（プリンタ）単体で、記録対象情報の印刷（記録）を順次、予め設定した順序でヒント印刷、問題解答印刷などを適当な時期に行うことができる。
【００４０】
［４］第４実施形態
以上の第１実施形態ないし第３実施形態においては、プリンタ単独で印字を行う場合であったが、本第２実施形態は、磁気ストライプ７５からの記録対象情報および外部装置であるパーソナルコンピュータからの印刷データに基づいて印字を行う場合の実施形態である。
【００４１】
図１０は、第４実施形態のプリンタおよびプリンタシステムの概要構成ブロック図である。
図１０に示すように、プリンタ１０には、パーソナルコンピュータ２がＬＡＮ３を介して接続されている。また、パーソナルコンピュータ２には、各種データを含むファイルが格納されたデータベース６が接続されている。
第３実施形態の画像記録用紙としては、第１実施形態あるいは第２実施形態の画像記録用紙を含む様々な態様の画像記録用紙の適用が可能であるが、以下の説明では、第１実施形態における画像記録用紙（図４参照）を用いた場合を例として説明する。
まず、第４実施形態の動作説明に先立ち、記憶媒体である磁気ストライプにおける記録データフォーマットについて説明する。
【００４２】
図１１は、第４実施形態の磁気ストライプにおける記録データフォーマットの説明図である。
磁気ストライプ７５の記録データ９０は、当該記録データ９０が複数の記録対象情報を含むことを示す種別データ９１と、記録対象情報の数ｎを表すデータ数データ９２と、それぞれが記録対象情報に対応する複数の記録対象情報データ９３-1〜９３-nを備えて構成されている。
具体的には、第１の記録対象情報に対応する記録対象情報データ９３-1として背景画像を印刷するための画像データが記録され、第２の記録対象情報に対応する記録対象情報データ９３-2として記録対象情報が格納されている所定のサイトのＵＲＬが記録対象特定情報として記録される。
【００４３】
このように、本第４実施形態の記録対象情報としては、固定の記録対象情報（例えば、上述の背景画像）と、更新可能な外部の記録対象情報を特定するための記録対象特定情報（例えば、上述のサイトを特定するための情報）が記録されることとなる。
図１２は第４実施形態のプリンタの処理フローチャートである。
プリンタ１０を用いて実際に印字を行うに際しては、ユーザは、記録対象情報が記録されている磁気ストライプ７５を有する画像記録用紙７０をプリンタ１０に対し、矢印Ａ方向（図２）に挿入する（ステップＳ３１）。この画像記録用紙が所定位置まで挿入されると、画像記録用紙は、フロントローラＦＲによりさらに矢印Ａ方向に搬送される。
【００４４】
これに伴い、ＣＰＵ５０は、磁気ヘッド５３および記録媒体リード／ライト制御部５４を介して画像記録用紙７０の磁気ストライプ７５から記録対象情報データ８４-1を読み出し、あるいは、記録対象情報データ８４-1が記録対象特定情報である場合には、実際の記録対象情報をパーソナルコンピュータ２を介して取得する（ステップＳ３２）。
続いてＣＰＵ５０は、読み出したあるいは取得した記録対象情報に対応する印刷データを生成する（ステップＳ３３）。
次にＣＰＵ５０は、次にＣＰＵ５０は、全ての記録対象情報データを読み出して処理を行ったか否かを判別する（ステップＳ３４）。
【００４５】
ステップＳ３４の判別において、全ての記録対象情報データを読み出して処理を行った場合には（ステップＳ３４；Ｙｅｓ）、処理をステップＳ３５に移行する。
ステップＳ３４の判別において、未だ全ての記録対象情報データを読み出して処理を行っていない場合には（ステップＳ３４；Ｎｏ）、ＣＰＵ５０は、処理をステップＳ３２に移行する。本実施形態の場合には、次の記録対象情報データである記録対象情報データ８４-2 を読み出し、記録対象情報データ８４-2に基づいて、インターフェース制御部５９を介して、インターフェース部５８を構成する通信インターフェースを制御し、ＬＡＮ３を介して外部装置であるパーソナルコンピュータ２から、印刷データを受信することとなる。
【００４６】
続いて、ＣＰＵ５０は、印字制御部５５およびモータ制御部５７を制御し、モータ部５６により駆動ローラ１７を駆動して画像記録用紙を副操作方向に搬送しつつ、記録ヘッド１２を主走査方向に走査して印刷データに対応する画像を印刷予定領域７３内に印字して処理を終了する（ステップＳ３５）。
以上の説明のように、本第４実施形態によれば、記録対象情報に対応するデータが外部のサイトや、ネットワーク上の他のサーバなどにある場合であっても、記録装置（プリンタ）において、記録対象情報の印刷（記録）を行うことができる。
【００４７】
［５］実施形態の変形例
［５．１］第１変形例
以上の説明においては、磁気ストライプに記録された記録対象情報については全て印刷する構成を採っていたが、複数記録対象情報が記録されている場合に、所定の条件（ランダム選択、あるいは、ユーザ指定など）に基づいていずれか一部を印刷するように構成することも可能である。具体的な態様としては、占いなどの印刷を行うような場合に適用が可能である。
【００４８】
［５．２］第２変形例
以上の説明においては、磁気ストライプに記憶された記録対象情報あるいは記録対象特定情報で特定され、外部機器であるパーソナルコンピュータから送信された印刷データについては何ら制限を設けずに印字していたが、磁気ストライプに記録制御情報として不要な情報を印字しない設定を含めるように構成することも可能である。
【００４９】
［５．３］第３変形例
以上の説明においては、記憶媒体として磁気ストライプを用いる場合を説明したが、二次元バーコードを設けたり、ＩＣチップを設けることも可能である。この場合には、磁気ヘッドに代えてバーコードリーダあるいはＩＣチップリーダを設ければ同様に適用が可能であり、より多くの情報を記録手法あるいは記録対象情報として記憶させることが可能である。
【００５０】
［５．４］第４変形例
以上の説明においては、プリンタを制御するための制御プログラムがＲＯＭ５１に予め記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高いプリンタ（記録装置）を構成することが可能となる。
【図面の簡単な説明】
【００５１】
【図１】磁気記録再生装置を備えたドットインパクトプリンタを示す全体斜視図である。
【図２】図１のプリンタを示す側断面図である。
【図３】プリンタの概要構成ブロック図である。
【図４】第１実施形態の画像記録用紙の一例の説明図である。
【図５】第１実施形態のプリンタの処理フローチャートである。
【図６】第２実施形態の画像記録用紙の一例の説明図である。
【図７】記録対象情報に対応する印字を行った後の記録用紙の説明図である。
【図８】第３実施形態の磁気ストライプにおける記録データフォーマットの説明図である。
【図９】第３実施形態のプリンタの処理フローチャートである。
【図１０】第４実施形態のプリンタおよびプリンタシステムの概要構成ブロック図である。
【図１１】第４実施形態の磁気ストライプにおける記録データフォーマットの説明図である。
【図１２】第４実施形態のプリンタの処理フローチャートである。
【符号の説明】
【００５２】
２…パーソナルコンピュータ、３…ＬＡＮ、４…通信ネットワーク、５…Ｗｅｂサーバ、１１…磁気記録再生装置（読出部、情報記録部）、１２…記録ヘッド、１０…プリンタ、５０…ＣＰＵ（制御部）、５１…ＲＯＭ、５２…ＲＡＭ５２、５５…印字制御部、５６…モータ部、５７…モータ制御部、５８…インターフェース（Ｉ／Ｆ）部、５９…インターフェース（Ｉ／Ｆ）制御部、７０…記録用紙、７１…印刷領域、７５…磁気ストライプ（記憶媒体）
【図１】
2006076237.tif 000003
【図２】
2006076237.tif 000004
【図３】
2006076237.tif 000005
【図４】
2006076237.tif 000006
【図５】
2006076237.tif 000007
【図６】
2006076237.tif 000008
【図７】
2006076237.tif 000009
【図８】
2006076237.tif 000010
【図９】
2006076237.tif 000011
【図１０】
2006076237.tif 000012
【図１１】
2006076237.tif 000013
【図１２】
2006076237.tif 000014